(57)【特許請求の範囲】
【請求項１】
湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器であって、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設するとともに、前記中断時間が所定時間以内の場合、その中断時間が予め決められた設定時間より短い場合には、当該設定時間が経過するまで待って給湯再開するようにし且つ前記設定時間を、前記給湯通路における流量測定手段より下流側の通路に残っている湯の大半が定常位置に戻るまでの時間としたことを特徴とする電気貯湯容器。
【請求項２】
湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器であって、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設するとともに、前記中断時間が所定時間以内の場合、中断後の再給湯開始時期を、前記給湯通路における流量測定手段より下流側の通路に残っている湯の逆流による前記流量測定手段からの信号出力が終了した時点以降としたことを特徴とする電気貯湯容器。
【請求項３】
湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器であって、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設するとともに、前記中断時間に応じて、給湯再開直後の給湯量表示を補正するようにしたことを特徴とする電気貯湯容器。
【請求項４】
給湯中断中に前記給湯通路における流量測定手段より下流側の通路に残っている湯の逆流による流量測定手段からの出力信号については給湯量表示に反映させないようにしたことを特徴とする前記請求項１、２および３のいずれか一項記載の電気貯湯容器。
【発明の詳細な説明】
【０００２】
【発明の属する技術分野】
【０００３】
本願発明は、電気ポット等として使用される電気貯湯容器に関し、さらに詳しくは給湯通路に給湯流量を測定する流量測定手段を付設した電気貯湯容器に関するものである。
【従来の技術】
【０００４】
湯沸かし用の内容器と、該内容器を加熱する加熱手段と、前記内容器内の湯を給湯通路を介して給湯する電動ポンプとを備えた電気貯湯容器は、従来から良く知られており、このような構造の電気貯湯容器において、給湯通路に給湯流量を測定する流量測定手段を設けることにより、給湯流量を液晶表示装置に表示したり、予め設定された給湯量を前記流量測定手段により測定して定量給湯を行うようにしたものも従来から良く知られている。
【０００５】
ところで、上記した電気貯湯容器において、給湯中に一時的に給湯を中断する場合がある。例えば、給湯中においては、安全性の面から給湯スイッチを押し続けなければならないようになっているが、給湯中に給湯スイッチから手を離さなければならないような事態が生じる場合等がある。このような給湯中断が発生した場合、従来の方式では、それまでの給湯動作および給湯量表示等がリセットしてしまうこととなっていた。
【発明が解決しようとする課題】
【０００６】
ところが、給湯中断が一時的なものである場合、給湯動作および給湯量表示を継続して実行する方が便利な場合がある。つまり、給湯の一時的に中断であるか、給湯の終了であるかを判断して、その後の制御方式を決定してやるのが望ましい。特に、定量給湯タイプの電気貯湯容器においては、中断時毎にリセットしていたのでは、定量給湯ができなくなってしまうという不具合が発生するおそれがある。
【０００７】
本願発明は、上記の点に鑑みてなされたもので、給湯中における給湯中断が発生した場合に、中断であるか給湯終了であるかを判断して、その後の制御方式を決定することにより、中断後の給湯継続を確保できるようにすることを目的とするものである。
【課題を解決するための手段】
【０００８】
請求項１の発明では、上記課題を解決するための手段として、湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器において、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設するとともに、前記中断時間が所定時間以内の場合、その中断時間が予め決められた設定時間より短い場合には、当該設定時間が経過するまで待って給湯再開するようにし且つ前記設定時間を、前記給湯通路における流量測定手段より下流側の通路に残っている湯の大半が定常位置に戻るまでの時間としている。
【０００９】
上記のように構成したことにより、給湯動作中に一時的に給湯が中断された場合において、中断時間が所定時間以内であった場合には、給湯動作を継続するものと判断し、給湯再開後に中断前と同様な制御が継続され、一方、中断時間が所定時間を越えた場合には、給湯動作が一旦終了したと判断して初期モードに移行されることとなる。従って、一時的な給湯中断後の給湯再開後にも、ユーザの意志通りに中断前と同様な給湯動作および給湯量表示が行われるとともに、中断時間が長くなった場合には、ユーザの意志が給湯終了にあると判断して初期モードに戻って給湯動作および給湯量表示が行われる。つまり、中断時間の長さに応じてユーザの意志を判断し、その後の制御が決定されることとなり、ユーザにとって極めて便利なものとなる。また、中断前と同様な制御が継続される場合であっても、中断時間が予め決められた設定時間より短い場合には、設定時間が経過するまで待って給湯が再開されることとなる。つまり、給湯中断時に流量測定手段より下流側（即ち、吐出口側）の通路に残っている湯が流量測定手段より上流側（即ち、ポンプ側）に戻ってしまってから給湯再開されることとなり、中断前と同様な制御を継続して行う際に通路内の湯量による給湯量誤差を小さくできる。しかも、設定時間を、給湯通路における流量測定手段より下流側（即ち、吐出口側）の通路に残っている湯の大半が定常位置に戻るまでの時間としているので、給湯中断時に流量測定手段より下流側（即ち、吐出口側）の通路に残っている湯の大半が定常位置に戻ってから給湯が再開されることとなり、中断前と同様な制御を継続を行う際ににおける給湯量誤差を小さくできる。
【００１０】
請求項２の発明では、上記課題を解決するための手段として、湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器において、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設するとともに、前記中断時間が所定時間以内の場合、中断後の再給湯開始時期を、前記給湯通路における流量測定手段より下流側（即ち、吐出口側）の通路に残っている湯の逆流による前記流量測定手段からの信号出力が終了した時点以降としている。
【００１１】
上記のように構成したことにより、給湯動作中に一時的に給湯が中断された場合において、中断時間が所定時間以内であった場合には、給湯動作を継続するものと判断し、給湯再開後に中断前と同様な制御が継続され、一方、中断時間が所定時間を越えた場合には、給湯動作が一旦終了したと判断して初期モードに移行されることとなる。従って、一時的な給湯中断後の給湯再開後にも、ユーザの意志通りに中断前と同様な給湯動作および給湯量表示が行われるとともに、中断時間が長くなった場合には、ユーザの意志が給湯終了にあると判断して初期モードに戻って給湯動作および給湯量表示が行われる。つまり、中断時間の長さに応じてユーザの意志を判断し、その後の制御が決定されることとなり、ユーザにとって極めて便利なものとなる。また、給湯中断時に流量測定手段より下流側（即ち、吐出口側）の通路に残っている湯が逆流する際に出力される流量測定手段からの信号がなくなった時点（換言すれば、湯が流量測定手段よりポンプ側である上流側に戻ってしまった時点）で給湯が再開されることとなり、中断前と同様な制御を継続を行う際における給湯量誤差を小さくできる。
【００１２】
請求項３の発明では、上記課題を解決するための手段として、湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器において、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設するとともに、前記中断時間に応じて、給湯再開直後の給湯量表示を補正するようにしている。
【００１３】
上記のように構成したことにより、給湯動作中に一時的に給湯が中断された場合において、中断時間が所定時間以内であった場合には、給湯動作を継続するものと判断し、給湯再開後に中断前と同様な制御が継続され、一方、中断時間が所定時間を越えた場合には、給湯動作が一旦終了したと判断して初期モードに移行されることとなる。従って、一時的な給湯中断後の給湯再開後にも、ユーザの意志通りに中断前と同様な給湯動作および給湯量表示が行われるとともに、中断時間が長くなった場合には、ユーザの意志が給湯終了にあると判断して初期モードに戻って給湯動作および給湯量表示が行われる。つまり、中断時間の長さに応じてユーザの意志を判断し、その後の制御が決定されることとなり、ユーザにとって極めて便利なものとなる。また、中断時間の長さに応じて流量測定手段より下流側（即ち、吐出口側）の通路に残っている湯の逆流量が相異することとなるところから、当該逆流量の相異に見合った補正を行うことにより、給湯再開時における給湯量誤差を可及的に小さくできる。
【００１４】
請求項４の発明におけるように、請求項１、２および３のいずれか一項記載の電気貯湯容器において、給湯中断中に前記給湯通路における流量測定手段より下流側（即ち、吐出口側）の通路に残っている湯の逆流による流量測定手段からの出力信号については給湯量表示に反映させないようにした場合、給湯通路における流量測定手段より下流側（即ち、吐出口側）の通路に残っている湯の逆流による流量測定手段からの出力信号が給湯量に加算反映されることがなくなり、給湯量表示をより一層正確ならしめることができる。
【発明の実施の形態】
【００１５】
以下、添付の図面を参照して、本願発明の幾つかの好適な実施の形態について詳述する。
【００１６】
第１の実施の形態（参考例）
図１ないし図６には、本願発明の第１の実施の形態（参考例）にかかる電気貯湯容器が示されている。
【００１７】
この電気貯湯容器は、図１および図２に示すように、貯湯用の内容器３を備えた容器本体１と、該容器本体１を開閉する蓋体２と、前記内容器３を加熱する加熱手段である電気ヒータ４と、前記内容器３内の湯を外部へ給湯するための給湯通路５と、該給湯通路５を介して湯を送り出す電動ポンプ６とを備えて構成されている。
【００１８】
前記容器本体１は、外側面を構成する合成樹脂製の外ケース７と、内周面を構成する前記内容器３と、前記外ケース７と内容器３とを結合する合成樹脂製の環状の肩部材８と、底面を構成する合成樹脂製の底板９とからなっている。
【００１９】
前記内容器３は、ステンレス製の有底円筒形状の内筒１０とステンレス製の外筒１１との間に真空空間を有する真空二重構造体からなっており、その底部には、外周部を除いて前記内筒１０の底部のみにより構成された１枚板部３ａが形成されている。該１枚板部３ａの下面には、前記電気ヒータ４（例えば、雲母板に発熱体を保持させてなるマイカヒータ）が取り付けられている。前記内容器３の上端部には、前記内筒１０の上端部を絞り加工してなる小径の給水口３ｂが形成されている。符号１２は内容器３の温度（換言すれば、湯温）を検出する湯温検出手段として作用する温度センサー、１３は内容器３の満水位を表示する満水位表示部である。
【００２０】
前記蓋体２は、合成樹脂製の上板１４と該上板１４に対して外周縁が結合された合成樹脂製の下板１５とからなっており、前記肩部材８の後部に設けられたヒンジ受け１６に対してヒンジピン１７を介して開閉自在且つ着脱自在に支持されている。
【００２１】
また、この蓋体２には、電源が接続されていない状態でも給湯通路５を介しての給湯が可能なように、手動操作により駆動されるエアーポンプ１８が配設されている。該エアーポンプ１８は、前記蓋体２の略中央部に形成された円筒形状の凹部１９内に配設されたベローズタイプのものとされており、押圧板２０を介しての押圧操作により加圧空気が内容器３内に吹き込まれ、該加圧空気の圧力により内容器３内のお湯が給湯通路５を介して外部へ押し出されることとなっている。符号２１は蒸気排出通路、２２は蒸気排出通路２１の途中に配設された転倒止水弁である。
【００２２】
前記蓋体２における下板１５には、金属製のカバー部材２３が固定されており、該カバー部材２３の外周縁には、蓋体２の閉蓋時において前記内容器３の給水口３ｂに圧接されるシールパッキン２４が設けられている。
【００２３】
前記給湯通路５の途中である前記内容器３の下方位置には、前記電動ポンプ６が配設されており、この給湯通路５において内容器３における満水位表示部１３より下方となる直管部５ａには、該給湯通路５を通るお湯の流量を測定するための流量測定手段として作用する流量センサー２５が設けられている。
【００２４】
該流量センサー２５は、図３および図４に示すように、前記給湯通路５の途中の直管部５ａに設けられた透明なガラス管２６と、該ガラス管２６内において回転自在に枢支された回転体２７と、該回転体２７の回転数を検出する光センサー２８とからなっている。
【００２５】
前記回転体２７は、前記給湯通路直管部５ａ内において前記ガラス管２６を挟むようにして上下設けられた軸受２９，２９に対して軸支された回転軸３０にボス２７ａを遊嵌することにより回転自在に支持されるものであり、図５に示すように、給湯通路５を通るお湯の圧力を受ける３枚の駆動羽根３１，３１，３１と、該駆動羽根３１，３１，３１の上方であって前記光センサー２８の発光素子２８ａから受光素子２８ｂへの光の照射を遮断する一対の遮光羽根３２，３２とを備えて構成されている。該遮光羽根３２，３２は、前記ボス２７ａの外周に対して直角に立設された四角羽根とされている。
【００２６】
前記光センサー２８は、前記ガラス管２６の外側であって前記回転体２７におけるボス２７ａを避けた位置において発光素子２８ａから受光素子２８ｂへ光が照射されるように構成されており、回転体２７における遮光羽根３２，３２により発光素子２８ａから受光素子２８ｂへの光の照射が遮断される回数を測定することにより回転体２７の回転数が測定できるようになっている。前記発光素子２８ａおよび受光素子２８ｂは、前記ガラス管２６の外周に取り付けられ、着脱自在なセンサーカバー３４により閉蓋された箱状のセンサーホルダ３３内に保持されている。なお、本実施の形態においては、回転体２７における遮光羽根３２，３２は、光センサー２８における発光素子２８ａと受光素子２８ｂとの間に常時位置せしめられることとなっている。
【００２７】
図１において、符号３５は後述する各種スイッチ類を備えた操作パネル部、３６はスイッチ基板、３７は前記電動ポンプ６を駆動させる駆動電源回路を備えた電源基板である。
【００２８】
前記操作パネル部３５には、図２に示すように、給湯スイッチ３８、ロック解除スイッチ３９、沸騰／カルキ抜き／おやすみタイマースイッチ４０、保温選択スイッチ４１、定量給湯／キッチンタイマースイッチ４２、設定量変更スイッチ４３，４４、給湯表示灯４５、沸騰表示灯４６、保温表示灯４７、液晶表示装置４８が設けられている。
【００２９】
前記設定量変更スイッチ４３，４４は、時刻合わせ時の時刻設定変更際に操作されるとともに、電動ポンプ６による給湯量を所定量に設定する定量給湯設定手段として作用するものであり、設定給湯量の設定変更を行う際にも操作される。
【００３０】
通常給湯時および定量給湯時には、上記各種スイッチ類および各種表示灯は、以下のように操作され且つ表示される。
【００３１】
（１）  通常給湯
ロック解除スイッチ３９を押すと、給湯表示灯４５が点灯し、給湯スイッチ３８を押すと、通常の電動給湯が可能となるようになっている。
【００３２】
（２）  定量給湯
定量給湯／キッチンタイマースイッチ４２を１回押すと、設定量変更スイッチ４３，４４が光り、該設定量変更スイッチ４３，４４で給湯量が設定されると、ロック解除スイッチ３９が光り、該ロック解除スイッチ３９を押すと、給湯スイッチ３８が光り、給湯スイッチ３８を押すと、液晶表示部４７における時刻／数量表示部４７ａに表示されている定量給湯量表示が給湯とともに自動的に減算され、０ｍｌになると、給湯が自動停止される。この間、給湯スイッチ３９は押し続けられる。このようにすると、定量給湯時におけるスイッチ操作が、定量給湯／キッチンタイマースイッチ４２→設定量変更スイッチ４３，４４→ロック解除スイッチ３９→給湯スイッチ３８の順でナビゲートされた一方向となり、操作ミスを減少させることができる。
【００３３】
図６は、本実施の形態にかかる電気貯湯容器における制御系の構成を示すブロック図であり、マイクロコンピュータユニット（以下、マイコンという）４９には、前記各種スイッチ類３８〜４４、温度センサー１２および流量センサー２５からの信号が入力され、各種演算処理を行い、その結果が制御信号として電気ヒータ４、電動ポンプ６、液晶表示装置４８およびブザー５０に出力されることとなっている。
【００３４】
前記マイコン４９は、前述した各種制御機能に加えて、給湯動作中に一時的に給湯が中断された場合、該中断時間ｔが所定時間ｔｓ（例えば、５秒）以内であった場合には、給湯再開後に中断前と同様な制御を継続する第１の制御手段としての機能と、前記中断時間ｔが所定時間ｔｓを越えた場合には、給湯動作が一旦終了したと判断して初期モードに移行させる第２の制御手段としての機能とを有している。ところで、マイコン４９には、給湯中断中に流量センサー２５より下流側（即ち、吐出口側）の通路に残っている湯の逆流による流量センサー２５からの出力信号は入力されないようになっている。このようにする、給湯通路５における流量センサー２５より下流側（即ち、吐出口側）の通路に残っている湯の逆流による流量センサー２５からの出力信号が給湯量に加算反映されることがなくなり、給湯量表示をより一層正確ならしめることができる。
【００３５】
ついで、図７および図８に示すフローチャートを参照して、上記構成の電気貯湯容器における給湯中断時の制御について説明する。
【００３６】
（Ｉ）  定量給湯時（図７のフローチャート参照）
ステップＳ１において定量給湯／キッチンタイマースイッチ４２がＯＮ操作され、設定量変更スイッチ４３，４４によって設定された設定給湯量Ａがマイコン４９に読み込まれて、液晶表示装置４８に設定給湯量が表示され、ステップＳ２において給湯スイッチ３８がＯＮ操作されると、ステップＳ３において電動ポンプ６の駆動が開始されて定量給湯動作が開始される。
【００３７】
すると、給湯通路５を介しての定量給湯が開始されることとなり、給湯通路５内をお湯が流出されるため、流量センサー２５の回転体２７に設けられた遮光羽根３２，３２による光センサー２８の遮光回数から回転体２７の回転数が測定される。該回転数は、マイコン４９内において給湯通路５を流れるお湯の流量に換算される。この定量給湯の過程では、液晶表示装置４８に表示されている設定給湯量から給湯分だけ減算される。
【００３８】
上記した定量給湯中において、何かの事情により給湯スイッチ３８から指が離れて給湯が中断することがある。この給湯中断時の制御について以下に説明する。
【００３９】
ステップＳ４において給湯スイッチ３８がＯＦＦ操作された（換言すると、給湯が中断された）と判定されると、ステップＳ５において液晶表示装置４８の給湯量表示が点滅されるとともに、ステップＳ６においてマイコン４９に内蔵されているタイマがスタートされる。
【００４０】
そして、ステップＳ７において給湯中断後所定時間ｔｓ（例えば、５秒）が経過したか否かの判定がなされ、ここで肯定判定された場合には、ステップＳ８に進み、ブザー５０により給湯終了報知がなされ、ステップＳ９において給湯量が点灯表示され、ステップＳ１０において設定給湯量が変更され、ステップＳ１１において給湯スイッチ３８がＯＮ操作されると、ステップＳ１２において定量給湯動作が再開される。つまり、中断時間ｔが所定時間ｔｓを超えた場合には、一旦給湯が終了したと判断して初期モードに戻ることとなるのである。
【００４１】
一方、ステップＳ７において否定判定されている間にステップＳ１３において給湯スイッチ３８がＯＮ操作されると、ステップＳ１４において給湯量が継続表示され、ステップＳ１５において残りの設定給湯量が給湯される。つまり、中断時間ｔが所定時間ｔｓ（例えば、５秒）以内であった場合には、給湯再開後に中断前と同様な制御が継続されることとなるのである。
【００４２】
（ＩＩ）  通常給湯時（図８のフローチャート参照）
ステップＳ１において給湯スイッチ３８がＯＮ操作されると、ステップＳ２において電動ポンプ６の駆動が開始されて通常給湯動作が開始される。
【００４３】
すると、給湯通路５を介しての通常給湯が開始されることとなり、給湯通路５内をお湯が流出されるため、流量センサー２５の回転体２７に設けられた遮光羽根３２，３２による光センサー２８の遮光回数から回転体２７の回転数が測定される。該回転数は、給湯通路５を流れるお湯の流量に換算され、マイコン４９に入力される。この通常給湯の過程では、液晶表示装置４８に給湯量が表示される。
【００４４】
上記した通常給湯中において、何かの事情により給湯スイッチ３８から指が離れて給湯が中断することがある。この給湯中断時の制御について以下に説明する。
【００４５】
ステップＳ３において給湯スイッチ３８がＯＦＦ操作された（換言すると、給湯が中断された）と判定されると、ステップＳ４において液晶表示装置４８の給湯量表示が点滅されるとともに、ステップＳ５においてマイコン４９に内蔵されているタイマがスタートされる。
【００４６】
そして、ステップＳ６において給湯中断後所定時間ｔｓ（例えば、５秒）が経過したか否かの判定がなされ、ここで肯定判定された場合には、ステップＳ７に進み、ブザー５０により給湯終了報知がなされ、ステップＳ８において給湯量が点灯表示され、ステップＳ９において給湯スイッチ３８がＯＮ操作されると、ステップＳ１０において給湯量表示を初期状態（即ち、０）に戻し、通常給湯動作が再開される。つまり、中断時間ｔが所定時間ｔｓを超えた場合には、一旦給湯が終了したと判断して初期モードに戻ることとなるのである。
【００４７】
一方、ステップＳ６において否定判定されている間にステップＳ１２において給湯スイッチ３８がＯＮ操作されると、ステップＳ１３において給湯量が継続表示され、その後ステップＳ１１に進んで、通常給湯動作が再開される。つまり、中断時間ｔが所定時間ｔｓ（例えば、５秒）以内であった場合には、給湯再開後に中断前と同様な制御が継続されることとなるのである。
【００４８】
上記したように、本実施の形態（本参考例）においては、給湯動作中に一時的に給湯が中断された場合において、中断時間ｔが所定時間ｔｓ（例えば、５秒）以内であった場合には、給湯動作を継続するものと判断し、給湯再開後に中断前と同様な制御が継続され、一方、中断時間ｔが所定時間ｔｓ（例えば、５秒）を超えた場合には、給湯動作が一旦終了したと判断して初期モードに移行されることとなる。従って、一時的な給湯中断後の給湯再開後にも、ユーザの意志通りに中断前と同様な給湯動作および給湯量表示が行われるとともに、中断時間ｔが長くなった場合には、ユーザの意志が給湯終了にあると判断して初期モードに戻って給湯動作および給湯量表示が行われる。つまり、中断時間ｔの長さに応じてユーザの意志を判断し、その後の制御が決定されることとなり、ユーザにとって極めて便利なものとなる。
【００４９】
第２の実施の形態（実施例１）
図９および図１０には、本願発明の第２の実施の形態（実施例１）にかかる電気貯湯容器における給湯中断時の制御の内容を示すフローチャートが示されている。
【００５０】
この場合、中断時間ｔが所定時間ｔｓ（例えば、５秒）以内の場合には、中断時間ｔに応じて、給湯再開直後の給湯量表示を補正するようにしている。
【００５１】
ついで、図９および図１０に示すフローチャートを参照して、上記構成の電気貯湯容器における給湯中断時の制御について説明する。
【００５２】
（Ｉ）  定量給湯時（図９のフローチャート参照）
ステップＳ１において定量給湯／キッチンタイマースイッチ４２がＯＮ操作され、設定量変更スイッチ４３，４４によって設定された設定給湯量Ａがマイコン４９に読み込まれて、液晶表示装置４８に設定給湯量が表示され、ステップＳ２において給湯スイッチ３８がＯＮ操作されると、ステップＳ３において電動ポンプ６の駆動が開始されて定量給湯動作が開始される。
【００５３】
すると、給湯通路５を介しての定量給湯が開始されることとなり、給湯通路５内をお湯が流出されるため、流量センサー２５の回転体２７に設けられた遮光羽根３２，３２による光センサー２８の遮光回数から回転体２７の回転数が測定される。該回転数は、給湯通路５を流れるお湯の流量に換算され、マイコン４９に入力される。この定量給湯の過程では、液晶表示装置４８に表示されている設定給湯量から給湯分だけ減算される。
【００５４】
上記した定量給湯中において、何かの事情により給湯スイッチ３８から指が離れて給湯が中断することがある。この給湯中断時の制御について以下に説明する。
【００５５】
ステップＳ４において給湯スイッチ３８がＯＦＦ操作された（換言すると、給湯が中断された）と判定されると、ステップＳ５において液晶表示装置４８の給湯量表示が点滅されるとともに、ステップＳ６においてマイコン４９に内蔵されているタイマがスタートされる。
【００５６】
そして、ステップＳ７において給湯中断時間ｔが所定時間ｔｓ（例えば、５秒）より短い第１設定時間ｔｓ1（例えば、０．２秒）以内であるか否かの判定がなされ、ここで、肯定判定されると、ステップＳ８に進み、図１１に基づいて補正値Ａ1（即ち、３９信号＝３０ｍｌ分）が決定され、ステップＳ９において給湯スイッチ３８のＯＦＦ作動時の信号カウント数Ａから前記補正値Ａ1を差し引いて給湯量Ａ0とする。
【００５７】
ステップＳ７において否定判定された場合には、ステップＳ１０に進み、給湯中断時間ｔが所定時間ｔｓ（例えば、５秒）より短い第２設定時間ｔｓ2（例えば、０．５秒）以内であるか否かの判定がなされ、ここで、肯定判定されると、ステップＳ１１に進み、図１１に基づいて補正値Ａ2（即ち、５２信号＝４０ｍｌ分）が決定され、ステップＳ１２において給湯スイッチ３８のＯＦＦ作動時の信号カウント数Ａから前記補正値Ａ2を差し引いて給湯量Ａ0とする。
【００５８】
ステップＳ１０において否定判定された場合には、ステップＳ１３に進み、給湯中断時間ｔが所定時間ｔｓ（例えば、５秒）より短い第３設定時間ｔｓ3（例えば、０．８秒）以内であるか否かの判定がなされ、ここで、肯定判定されると、ステップＳ１４に進み、図１１に基づいて補正値Ａ3（即ち、６３信号＝５０ｍｌ分）が決定され、ステップＳ１５において給湯スイッチ３８のＯＦＦ作動時の信号カウント数Ａから前記補正値Ａ3を差し引いて給湯量Ａ0とする。
【００５９】
そして、ステップＳ１６において給湯スイッチ３８がＯＮ操作されると、ステップＳ１７において給湯量Ａ0が継続表示され、ステップＳ１８において残りの設定給湯量が給湯される。つまり、中断時間ｔが所定時間ｔｓ（例えば、５秒）以内の場合には、給湯再開後に中断前と同様な制御が継続されるが、この際、中断時間ｔに応じて流量センサー２５より下流側（即ち、吐出口側）の通路に残っている湯の逆流量が相異することとなるところから、当該逆流量の相異に見合った補正を行うことにより、給湯再開時における給湯量誤差を可及的に小さくできるのである。
【００６０】
一方、ステップＳ１３において否定判定された場合には、ステップＳ１９に進み、中断時間ｔが所定時間ｔｓ（例えば、５秒）を超えているか否かの判定がなされ、ここで否定判定された場合には、ステップＳ２０において給湯スイッチ３８のＯＦＦ作動時の信号カウント数Ａをマイコン４９に格納しておき、ステップＳ２１において給湯スイッチ３８がＯＮ操作されたと判定され、ステップＳ２２において１．２５秒が経過したと判定され、ステップＳ２３において給湯スイッチ３８がＯＦＦ操作されなかったと判定されると、ステップＳ２４において前記信号カウント数Ａが最初の信号数に加算され、ステップＳ１へリターンする。なお、ステップＳ２１，２２において否定判定され、ステップＳ２３において肯定判定された場合には、ステップＳ７に戻り、以後の制御が続行される。
【００６１】
ステップＳ１９において肯定判定された場合には、ステップＳ２５に進み、ブザー５０により給湯終了報知がなされ、ステップＳ２６において給湯量が点灯表示され、ステップＳ２７において給湯スイッチ３８がＯＮ操作されたと判定されると、ステップＳ２８において給湯量表示が初期状態とされ（即ち、０に戻され）、その後ステップＳ１へリターンする。つまり、中断時間ｔが所定時間ｔｓを超えた場合には、一旦給湯が終了したと判断して初期モードに戻ることとなるのである。
【００６２】
（ＩＩ）  通常給湯時（図１０のフローチャート参照）
ステップＳ１において給湯スイッチ３８がＯＮ操作されると、ステップＳ２において電動ポンプ６の駆動が開始されて通常給湯動作が開始される。
【００６３】
すると、給湯通路５を介しての通常給湯が開始されることとなり、給湯通路５内をお湯が流出されるため、流量センサー２５の回転体２７に設けられた遮光羽根３２，３２による光センサー２８の遮光回数から回転体２７の回転数が測定される。該回転数は、給湯通路５を流れるお湯の流量に換算され、マイコン４９に入力される。この通常給湯の過程では、液晶表示装置４８に給湯量が表示される。
【００６４】
上記した通常給湯中において、何かの事情により給湯スイッチ３８から指が離れて給湯が中断することがある。この給湯中断時の制御について以下に説明する。
【００６５】
ステップＳ３において給湯スイッチ３８がＯＦＦ操作された（換言すると、給湯が中断された）と判定されると、ステップＳ４において液晶表示装置４８の給湯量表示が点滅されるとともに、ステップＳ５においてマイコン４９に内蔵されているタイマがスタートされる。
【００６６】
そして、ステップＳ６において給湯中断時間ｔが所定時間ｔｓ（例えば、５秒）より短い第１設定時間ｔｓ1（例えば、０．２秒）以内であるか否かの判定がなされ、ここで、肯定判定されると、ステップＳ７に進み、図１１に基づいて補正値Ａ1（即ち、３９信号＝３０ｍｌ分）が決定され、ステップＳ８において給湯スイッチ３８のＯＦＦ作動時の信号カウント数Ａから前記補正値Ａ1を差し引いて給湯量Ａ0とする。
【００６７】
ステップＳ６において否定判定された場合には、ステップＳ９に進み、給湯中断時間ｔが所定時間ｔｓ（例えば、５秒）より短い第２設定時間ｔｓ2（例えば、０．５秒）以内であるか否かの判定がなされ、ここで、肯定判定されると、ステップＳ１０に進み、図１１に基づいて補正値Ａ2（即ち、５２信号＝４０ｍｌ分）が決定され、ステップＳ１１において給湯スイッチ３８のＯＦＦ作動時の信号カウント数Ａから前記補正値Ａ2を差し引いて給湯量Ａ0とする。
【００６８】
ステップＳ９において否定判定された場合には、ステップＳ１２に進み、給湯中断時間ｔが所定時間ｔｓ（例えば、５秒）より短い第３設定時間ｔｓ3（例えば、０．８秒）以内であるか否かの判定がなされ、ここで、肯定判定されると、ステップＳ１３に進み、図１１に基づいて補正値Ａ3（即ち、６３信号＝５０ｍｌ分）が決定され、ステップＳ１４において給湯スイッチ３８のＯＦＦ作動時の信号カウント数Ａから前記補正値Ａ3を差し引いて給湯量Ａ0とする。
【００６９】
そして、ステップＳ１５において給湯スイッチ３８がＯＮ操作されると、ステップＳ１６において給湯量Ａ0が継続表示され、ステップＳ１７において通常給湯動作が再開される。つまり、中断時間ｔが所定時間ｔｓ（例えば、５秒）以内の場合には、給湯再開後に中断前と同様な制御が継続されるが、この際、中断時間ｔに応じて流量センサー２５より下流側（即ち、吐出口側）の通路に残っている湯の逆流量が相異することとなるところから、当該逆流量の相異に見合った補正を行うことにより、給湯再開時における給湯量誤差を可及的に小さくできるのである。
【００７０】
一方、ステップＳ１２において否定判定された場合には、ステップＳ１８に進み、中断時間ｔが所定時間ｔｓ（例えば、５秒）を超えているか否かの判定がなされ、ここで否定判定された場合には、ステップＳ１９において給湯スイッチ３８のＯＦＦ作動時の信号カウント数Ａをマイコン４９に格納しておき、ステップＳ２０において給湯スイッチ３８がＯＮ操作されたと判定され、ステップＳ２１において１．２５秒が経過したと判定され、ステップＳ２２において給湯スイッチ３８がＯＦＦ操作されなかったと判定されると、ステップＳ２３において前記信号カウント数Ａが最初の信号数に加算され、ステップＳ１へリターンする。なお、ステップＳ２０，２１において否定判定され、ステップＳ２２において肯定判定された場合には、ステップＳ６に戻り、以後の制御が続行される。
【００７１】
ステップＳ１８において肯定判定された場合には、ステップＳ２４に進み、ブザー５０により給湯終了報知がなされ、ステップＳ２５において給湯量が点灯表示され、ステップＳ２６において給湯スイッチ３８がＯＮ操作されたと判定されると、ステップＳ２７において給湯量表示が初期状態とされ（即ち、０に戻され）、その後ステップＳ１へリターンする。つまり、中断時間ｔが所定時間ｔｓを超えた場合には、一旦給湯が終了したと判断して初期モードに戻ることとなるのである。
【００７２】
その他の構成および作用効果は、第１の実施の形態（参考例）におけると同様なので説明を省略する。
【００７３】
第３の実施の形態（実施例２）
図１２には、本願発明の第３の実施の形態（実施例２）にかかる電気貯湯容器における給湯中断時の制御の内容を示すフローチャートが示されている。
【００７４】
この場合、中断時間ｔが所定時間ｔｓ以内であって予め設定された設定時間ｔｓａ（例えば、０．５秒）より短い時間のときには、当該設定時間ｔｓａの経過を待って給湯再開するようにしている。この場合、定量給湯と通常給湯とにおける制御に違いはない。
【００７５】
ついで、図１２に示すフローチャートを参照して、上記構成の電気貯湯容器における給湯中断時の制御について説明する。
【００７６】
ステップＳ１において給湯スイッチ３８がＯＮ操作されたと判定されると、ステップＳ２において電動ポンプ６が駆動開始され、ステップＳ３において給湯量が積算表示される。
【００７７】
上記した給湯中において、何かの事情により給湯スイッチ３８から指が離れて給湯が中断することがある。この給湯中断時の制御について以下に説明する。
【００７８】
ステップＳ４において給湯スイッチ３８がＯＦＦ操作された（換言すると、給湯が中断された）と判定されると、ステップＳ５において電動ポンプ６の駆動が停止され、ステップＳ６において液晶表示装置４８の給湯量表示が点滅され、ステップＳ７においてマイコン４９に内蔵されたタイマーがスタートされる。
【００７９】
そして、ステップＳ８において給湯中断から予め設定された設定時間ｔｓａ（例えば、０．５秒）が経過したと判定されるまでは電動ポンプ６の駆動停止は継続されるが、ステップＳ８において設定時間ｔｓａが経過したと判定され、ステップＳ９において給湯スイッチ３８がＯＮ操作された場合には、ステップＳ２に戻り電動ポンプ６が駆動再開される。
【００８０】
ステップＳ９において給湯スイッチ３８がＯＮ操作されなかったと判定された場合には、ステップＳ１０において所定時間ｔｓ（例えば、５秒）が経過したと判定されるまでは電動ポンプ６の駆動停止は継続されるが、ステップＳ１０において前記所定時間ｔｓが経過したと判定されると、ステップＳ１１において給湯量の積算が停止され、ステップＳ１２において給湯量が点灯表示される。
【００８１】
そして、ステップＳ１３において給湯スイッチ３８がＯＮ操作されたと判定されると、ステップＳ１４において給湯量表示を初期状態とされ（即ち、０に戻され）、その後ステップＳ２へリターンする。つまり、中断時間ｔが所定時間ｔｓを超えた場合には、一旦給湯が終了したと判断して初期モードに戻ることとなるのである。ステップＳ１３において給湯スイッチ３８がＯＮ操作されなかったと判定された場合には、ステップＳ１５において２０秒経過したと判定されるまで待って、ステップＳ１６において給湯スイッチ３８がロック状態とされる。
【００８２】
上記したように、本実施の形態においては、中断時間ｔが所定時間ｔｓ（例えば、５秒）以内の場合であって、その中断時間ｔが予め決められた設定時間ｔｓａ（例えば、０．５秒）より短い場合には、当該設定時間ｔｓａが経過するまで待って（換言すれば、給湯中断時に流量センサー２５より吐出口側である下流側の通路に残っている湯の大半が定常位置に戻ってから）給湯再開するようにしている。このようにする、給湯中断時に流量センサー２５より下流側（即ち、吐出口側）の通路に残っている湯が流量センサー２５より上流側（即ち、ポンプ側）に戻ってしまってから給湯再開されることとなり、中断前と同様な制御を継続して行う際における給湯量誤差を小さくできる。
【００８３】
その他の構成および作用効果は、第１の実施の形態（参考例）におけると同様なので説明を省略する。
【００８４】
第４の実施の形態（実施例３）
図１３には、本願発明の第４の実施の形態（実施例３）にかかる電気貯湯容器における給湯中断時の制御の内容を示すフローチャートが示されている。
【００８５】
この場合、中断時間ｔが所定時間ｔｓ以内であって流量センサー２５より下流側（即ち、吐出口側）の通路に残っている湯の逆流による前記流量センサー２５からの信号出力が終了するまで待って（換言すれば、湯が流量測定手段よりポンプ側である上流側に戻ってしまうまで待って）給湯再開するようにしている。この場合も、定量給湯と通常給湯とにおける制御に違いはない。
【００８６】
ついで、図１３に示すフローチャートを参照して、上記構成の電気貯湯容器における給湯中断時の制御について説明する。
【００８７】
ステップＳ１において給湯スイッチ３８がＯＮ操作されたと判定されると、ステップＳ２において電動ポンプ６が駆動開始され、ステップＳ３において給湯量が積算表示される。
【００８８】
上記した給湯中において、何かの事情により給湯スイッチ３８から指が離れて給湯が中断することがある。この給湯中断時の制御について以下に説明する。
【００８９】
ステップＳ４において給湯スイッチ３８がＯＦＦ操作された（換言すると、給湯が中断された）と判定されると、ステップＳ５において電動ポンプ６の駆動が停止され、ステップＳ６において液晶表示装置４８の給湯量表示が点滅され、ステップＳ７において流量センサー２５からの信号出力が停止すまでは電動ポンプ６の駆動停止は継続されるが、ステップＳ７において流量センサー２５からの信号出力が停止した（換言すれば、流量センサー２５の吐出口側である下流側に残った湯の逆流が完了した）と判定され、ステップＳ８において給湯スイッチ３８がＯＮ操作された場合には、ステップＳ２に戻り電動ポンプ６が駆動再開される。
【００９０】
ステップＳ８において給湯スイッチ３８がＯＮ操作されなかったと判定された場合には、ステップＳ９において所定時間ｔｓ（例えば、５秒）が経過したと判定されるまでは電動ポンプ６の駆動停止は継続されるが、ステップＳ９において前記所定時間ｔｓが経過したと判定されると、ステップＳ１０において給湯量の積算が停止され、ステップＳ１１において給湯量が点灯表示される。
【００９１】
そして、ステップＳ１２において給湯スイッチ３８がＯＮ操作されたと判定されると、ステップＳ１３において給湯量表示を初期状態とされ（即ち、０に戻され）、その後ステップＳ２へリターンする。つまり、中断時間ｔが所定時間ｔｓを超えた場合には、一旦給湯が終了したと判断して初期モードに戻ることとなるのである。ステップＳ１２において給湯スイッチ３８がＯＮ操作されなかったと判定された場合には、ステップＳ１４において２０秒経過したと判定されるまで待って、ステップＳ１５において給湯スイッチ３８がロック状態とされる。
【００９２】
上記したように、本実施の形態においては、中断時間ｔが所定時間ｔｓ（例えば、５秒）以内の場合であって、流量センサー２５より下流側（即ち、吐出口側）の通路に残っている湯の逆流による前記流量センサー２５からの信号出力が終了するのを待って（換言すれば、給湯中断時に流量センサー２５より吐出口側である下流側の通路に残っている湯の大半が定常位置に戻ってから）給湯再開するようにしている。このようにする、給湯中断時に流量センサー２５より下流側（即ち、吐出口側）の通路に残っている湯が流量センサー２５より上流側（即ち、ポンプ側）に戻ってしまってから給湯再開されることとなり、中断前と同様な制御を継続して行う際における給湯量誤差を小さくできる。
【００９３】
その他の構成および作用効果は、第１の実施の形態（参考例）におけると同様なので説明を省略する。
【００９４】
ところで、上記各実施の形態においては、流量測定手段として、ひかりセンサー式の流量センサーを採用しているが、プロペラ式、電動ポンプ連動式、磁気センサー式等のものを採用することもできる。
【発明の効果】
【００９５】
請求項１の発明によれば、湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器において、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設して、給湯動作中に一時的に給湯が中断された場合において、中断時間が所定時間以内であった場合には、給湯動作を継続するものと判断し、給湯再開後に中断前と同様な制御が継続され、一方、中断時間が所定時間を越えた場合には、給湯動作が一旦終了したと判断して初期モードに移行されるようにしたので、一時的な給湯中断後の給湯再開後にも、ユーザの意志通りに中断前と同様な給湯動作および給湯量表示が行われるとともに、中断時間が長くなった場合には、ユーザの意志が給湯終了にあると判断して初期モードに戻って給湯動作および給湯量表示が行われることとなり、中断時間の長さに応じてユーザの意志を判断し、その後の制御が決定されることとなって、ユーザにとって極めて便利なものとなるという効果がある。
【００９６】
また、前記中断時間が所定時間以内の場合であって、その中断時間が予め決められた設定時間より短い場合には、当該設定時間が経過するまで待って給湯再開するようにしているので、給湯中断時に流量測定手段より下流側（即ち、吐出口側）の通路に残っている湯が流量測定手段より上流側（即ち、ポンプ側）に戻ってしまってから給湯再開されることとなり、中断前と同様な制御を継続して行う際に通路内の湯量による給湯量誤差を小さくできるという効果もある。
【００９７】
さらに、前記設定時間を、前記給湯通路における流量測定手段より下流側の通路に残っている湯の大半が定常位置に戻るまでの時間としているので、給湯中断時に流量測定手段より下流側（即ち、吐出口側）の通路に残っている湯の大半が定常位置に戻ってから給湯が再開されることとなり、中断前と同様な制御を継続を行う際ににおける給湯量誤差をより小さくできるという効果もある。
【００９８】
請求項２の発明によれば、湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器において、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設して、給湯動作中に一時的に給湯が中断された場合において、中断時間が所定時間以内であった場合には、給湯動作を継続するものと判断し、給湯再開後に中断前と同様な制御が継続され、一方、中断時間が所定時間を越えた場合には、給湯動作が一旦終了したと判断して初期モードに移行されるようにしたので、一時的な給湯中断後の給湯再開後にも、ユーザの意志通りに中断前と同様な給湯動作および給湯量表示が行われるとともに、中断時間が長くなった場合には、ユーザの意志が給湯終了にあると判断して初期モードに戻って給湯動作および給湯量表示が行われることとなり、中断時間の長さに応じてユーザの意志を判断し、その後の制御が決定されることとなって、ユーザにとって極めて便利なものとなるという効果がある。
【００９９】
また、前記中断時間が所定時間以内の場合、中断後の再給湯開始時期を、前記給湯通路における流量測定手段より下流側の通路に残っている湯の逆流による前記流量測定手段からの信号出力が終了した時点以降としているので、給湯中断時に流量測定手段より下流側（即ち、吐出口側）の通路に残っている湯が逆流する際に出力される流量測定手段からの信号がなくなった時点（換言すれば、湯が流量測定手段よりポンプである上流側に戻ってしまった時点）で給湯が再開されることとなり、中断前と同様な制御を継続を行う際における給湯量誤差を小さくできるという効果もある。
【０１００】
請求項３の発明によれば、湯沸かし用の内容器と、該内容器を加熱する加熱手段と、前記内容器内の湯を給湯通路を介して給湯する電動ポンプとを備え、前記給湯通路には、給湯流量を測定する流量測定手段を設けてなる電気貯湯容器において、給湯動作中に一時的に給湯が中断された場合、該中断時間が所定時間以内であった場合には、給湯再開後に中断前と同様な制御を継続する第１の制御手段と、前記中断時間が所定時間を越えた場合には、給湯動作が一旦終了したと判断して初期モードに移行させる第２の制御手段とを付設して、給湯動作中に一時的に給湯が中断された場合において、中断時間が所定時間以内であった場合には、給湯動作を継続するものと判断し、給湯再開後に中断前と同様な制御が継続され、一方、中断時間が所定時間を越えた場合には、給湯動作が一旦終了したと判断して初期モードに移行されるようにしたので、一時的な給湯中断後の給湯再開後にも、ユーザの意志通りに中断前と同様な給湯動作および給湯量表示が行われるとともに、中断時間が長くなった場合には、ユーザの意志が給湯終了にあると判断して初期モードに戻って給湯動作および給湯量表示が行われることとなり、中断時間の長さに応じてユーザの意志を判断し、その後の制御が決定されることとなって、ユーザにとって極めて便利なものとなるという効果がある。
【０１０１】
また、前記中断時間に応じて、給湯再開直後の給湯量表示を補正するようにしているので、中断時間の長さに応じて流量測定手段より下流側の通路に残っている湯の逆流量が相異することとなるところから、当該逆流量の相異に見合った補正を行うことにより、給湯再開時における給湯量誤差を可及的に小さくできるという効果もある。
【０１０２】
請求項４の発明におけるように、請求項１、２および３のいずれか一項記載の電気貯湯容器において、給湯中断中に前記給湯通路における流量測定手段より下流側の通路に残っている湯の逆流による流量測定手段からの出力信号については給湯量表示に反映させないようにした場合、給湯通路における流量測定手段より下流側（即ち、吐出口側）の通路に残っている湯の逆流による流量測定手段からの出力信号が給湯量に加算反映されることがなくなり、給湯量表示をより一層正確ならしめることができる。
【図面の簡単な説明】
【０１０３】
【図１】本願発明の第１の実施の形態（参考例）にかかる電気貯湯容器の縦断面図である。
【図２】本願発明の第１の実施の形態（参考例）にかかる電気貯湯容器における操作パネル部の平面図である。
【図３】本願発明の第１の実施の形態（参考例）にかかる電気貯湯容器における流量センサーの拡大縦断側面図である。
【図４】本願発明の第１の実施の形態（参考例）にかかる電気貯湯容器における流量センサーの拡大横断平面図である。
【図５】本願発明の第１の実施の形態（参考例）にかかる電気貯湯容器における流量センサーの構成部品である回転体を示し、（イ）は側面図、（ロ）は平面図である。
【図６】本願発明の第１の実施の形態（参考例）にかかる電気貯湯容器における制御系のブロック図である。
【図７】本願発明の第１の実施の形態（参考例）にかかる電気貯湯容器における定量給湯中断時の制御の内容を示すフローチャートである。
【図８】本願発明の第１の実施の形態（参考例）にかかる電気貯湯容器における通常給湯中断時の制御の内容を示すフローチャートである。
【図９】本願発明の第２の実施の形態（実施例１）にかかる電気貯湯容器における定量給湯中断時の制御の内容を示すフローチャートである。
【図１０】本願発明の第２の実施の形態（実施例１）にかかる電気貯湯容器における通常給湯中断時の制御の内容を示すフローチャートである。
【図１１】本願発明の第２の実施の形態（実施例１）にかかる電気貯湯容器における給湯中断時の制御において使用される補正値決定用の図表である。
【図１２】本願発明の第３の実施の形態（実施例２）にかかる電気貯湯容器における給湯中断時の制御の内容を示すフローチャートである。
【図１３】本願発明の第４の実施の形態（実施例３）にかかる電気貯湯容器における給湯中断時の制御の内容を示すフローチャートである。
【符号の説明】
【０１０４】
１は容器本体、２は蓋体、３は内容器、４は加熱手段（電気ヒータ）、５は給湯通路、６は電動ポンプ、２５は流量測定手段（流量センサー）、３８は給湯スイッチ、４３，４４は定量給湯設定手段（設定量変更スイッチ）、４８は液晶表示装置、４９はマイコン。
【図１】
0003543779.tif 000002
【図２】
0003543779.tif 000003
【図３】
0003543779.tif 000004
【図４】
0003543779.tif 000005
【図５】
0003543779.tif 000006
【図６】
0003543779.tif 000007
【図７】
0003543779.tif 000008
【図８】
0003543779.tif 000009
【図９】
0003543779.tif 000010
【図１０】
0003543779.tif 000011
【図１１】
0003543779.tif 000012
【図１２】
0003543779.tif 000013
【図１３】
0003543779.tif 000014